(57)【要約】      （修正有）【課題】透光カバー６の回転引掛けの操作が容易であり、防虫の効果が高く、防虫のための柔軟体５の装着が容易な天井用照明器具を提供する。【解決手段】  器具本体１の下面側に回転引掛け式に着脱自在に装着される円形かつ椀状の透光カバー６を備える。透光カバー６の周囲に外向きに延在する鍔部７を形成する。透光カバー６の鍔部７に装着される柔軟体５を備える。器具本体１における下折縁２によって形成されるコーナー部における水平面に垂直毛様部１０−１が当接する。コーナー部における垂直面に水平毛様部１０−２が当接する。これらの当接により、隙間がなくなり、透光カバー６内に虫が入らなくなる。【選択図】    図２
2006024538.tif 000002
【特許請求の範囲】
【請求項１】
水平に配置されるほぼ平板状の器具本体を備え、前記器具本体の周囲にそこから下向きに折れ曲がる下折縁を形成し、前記器具本体の下面側に回転引掛け式に着脱自在に装着される円形かつ椀状の透光カバーを備え、前記透光カバーの周囲に外向きに延在する鍔部を形成し、前記透光カバーの前記鍔部に装着され柔軟体を備え、前記柔軟体は帯条かつ輪状を呈するものであり、前記柔軟体は前記鍔部に装着される基部と該基部に植毛された毛様部を具備するものであり、前記基部は前記鍔部に装着されることによって折れ曲がり、それにより前記毛様部は毛並みが垂直方向を向く垂直毛様部と毛並みが水平方向を向く水平毛様部を含み、前記器具本体における前記下折縁によって形成されるコーナー部における水平面に前記垂直毛様部が当接し、前記コーナー部における垂直面に前記水平毛様部が当接することを特徴とする天井用照明器具。
【発明の詳細な説明】
【技術分野】
【０００１】  本発明は、水平に配置されるほぼ平板状の器具本体を備え、前記器具本体の下面側に回転引掛け式に着脱自在に装着される円形かつ椀状の透光カバーを備えた天井用照明器具に関するものである。
【背景技術】
【０００２】  回転引掛け式では、天井面に装着されている器具本体に対して、透光カバーを下側から押し当て、たとえば右回りに少し回して両者を着脱自在に装着する。いわば押し回しの要領である。透光カバーを外す場合は逆に左回りに少し回す。
大形部品となることの多い透光カバーを両手で持ち上げながら押し回しをする作業は困難である。押し回しの際の器具本体・透光カバー間の摩擦力は少ないことが望ましいが、これは簡単ではない。その一つの理由は透光カバー（例：圧空成形品）の板厚にばらつきが生ずるためである。また、器具本体とこれに装着された透光カバーとの間に過度の隙間（あそび）があると、そこを介して内部に虫が侵入するため、器具本体と透光カバーの接する部位に摩擦抵抗の少ない柔軟体を装着し、隙間（あそび）を無くしている。
【発明の開示】
【発明が解決しようとする課題】
【０００３】  本発明の目的は、透光カバーの回転引掛けの操作が容易であり、防虫の効果が高く、防虫のための柔軟体の装着が容易な天井用照明器具を提供することである。
【課題を解決するための手段】
【０００４】  本発明の天井用照明器具は水平に配置されるほぼ平板状の器具本体を備える。前記器具本体の周囲にそこから下向きに折れ曲がる下折縁を形成する。前記器具本体の下面側に回転引掛け式に着脱自在に装着される円形かつ椀状の透光カバーを備える。前記透光カバーの周囲に外向きに延在する鍔部を形成する。前記透光カバーの前記鍔部に装着され柔軟体を備える。前記柔軟体は帯条かつ輪状を呈するものである。前記柔軟体は前記鍔部に装着される基部と該基部に植毛された毛様部を具備するものである。前記基部は前記鍔部に装着されることによって折れ曲がり、それにより前記毛様部は毛並みが垂直方向を向く垂直毛様部と毛並みが水平方向を向く水平毛様部を含む。前記器具本体における前記下折縁によって形成されるコーナー部における水平面に前記垂直毛様部が当接し、前記コーナー部における垂直面に前記水平毛様部が当接する。
【発明の効果】
【０００５】  本発明においては、器具本体における下折縁によって形成されるコーナー部と透光カバーの鍔部との間には若干の隙間を設けることができるので、回転引掛けの際に透光カバーをスムーズに回転させることができ、使い勝手が向上する。その隙間に柔軟体を介在させ防虫効果を得るが、この柔軟体は毛様部を具備するものであって、回転引掛けの際に毛並みが一様に傾斜するので、スムースな回転が可能となる。
前記毛様部は垂直毛様部と水平毛様部を含み、この両部の作用で防虫効果を高める。前記垂直毛様部と水平毛様部を個別に装着するのでは手間がかかるが、実際にはそれらを植設する基部を折り曲げれば済むので、毛様部の装着も簡単である。
【発明を実施するための最良の形態】
【０００６】  図１〜図３を用いて本発明の実施形態について説明する。図示の天井用照明器具は水平に配置されるほぼ平板状の器具本体１を備える。器具本体１の周囲に下向きに折れ曲がる下折縁２を形成する。器具本体１の下面側に回転引掛け式に着脱自在に装着される円形かつ椀状の透光カバー６を備える。透光カバー６の周囲に外向きに延在する鍔部７を形成する。
透光カバー６の鍔部７に装着される柔軟体５を備える。本実施例では鍔部７の端部７−１に柔軟体５が装着される。端部７−１は透光カバー６素材を圧空成形した後のシート切断部に相当し、切断縁にバリが生じる。前記柔軟体５は危険なバリを覆って隠す役目を兼ねる。【０００７】  柔軟体５は帯条かつ輪状を呈するものである。柔軟体５は鍔部７に装着される基部９と該基部９に植毛された毛様部１０を具備する。基部９は鍔部７に装着されることによって折れ曲がり、それにより毛様部１０は毛並みが垂直方向を向く垂直毛様部１０−１と毛並みが水平方向を向く水平毛様部１０−２を含む。基部９の裏面に予め接着剤を塗布し、鍔部７の端部７−１に貼り付けるが、その際に端部７−１形状に沿って基部９が折れ曲がる。毛様部１０の毛並みは基部９の面に対してほぼ直立する性質があるので、該折り曲げにより、垂直毛様部１０−１と水平毛様部１０−２に区分けされる。
器具本体１における下折縁２によって形成されるコーナー部における水平面に垂直毛様部１０−１が当接する。コーナー部における垂直面に水平毛様部１０−２が当接する。これらの当接により、隙間がなくなり、透光カバー６内に虫が入らなくなる。【０００８】  説明を補足する。３は光源（環状蛍光ランプ）である。４は器具本体１に形成した複数の鉤状のカバー取付具４である。透光カバー６は圧空成形品であるが、その鍔部７に複数の係合凸部８を設ける。透光カバー６を垂直軸回りに少し回転させることで、係合凸部８が鉤状のカバー取付具４に着脱自在に保持される。これは周知の回転引掛け式の着脱自在な装着構造である。【０００９】  器具本体１における下折縁２によって形成されるコーナー部と透光カバー６の鍔部７との間には若干の隙間があるので、回転引掛けの際に透光カバー６をスムーズに回転させることができ、使い勝手が向上する。その隙間に柔軟体５を介在させ防虫効果を得るが、この柔軟体５は毛様部１０を具備するものであって、回転引掛けの際に毛並みが一様に傾斜するので、スムースな回転が可能となる。
毛様部１０は垂直毛様部１０−１と水平毛様部１０−２を含む。この両部の作用で防虫効果を高める。垂直毛様部１０−１と水平毛様部１０−２を個別に装着するのでは手間がかかるが、実際にはそれらを植設する基部９を折り曲げれば済むので、毛様部１０を簡単に装着することができる。
【図面の簡単な説明】
【００１０】
【図１】  本発明に係る天井用照明器具の分解斜視図
【図２】  図１の要部断面図
【図３】  図２の要部断面図
【符号の説明】
【００１１】１：器具本体
２：下折縁
３：光源
４：カバー取付具
５：柔軟体
６：透光カバー
７：周縁鍔部
８：係合凸部
９：基部
１０：毛様部
１０−１：垂直毛様部
１０−２：水平毛様部
【図１】
2006024538.tif 000003
【図２】
2006024538.tif 000004
【図３】
2006024538.tif 000005